(57)【要約】      （修正有）【課題】ゴルフクラブの番手を間違うことなく、ゴルフクラブの番手違いによるミスをなくすことができる番手別グリップエンドアクセサリを提供する。【解決手段】クラブ番手情報表示部３にゴルフクラブ４の番手を識別するための番手情報が表示されているので、空気孔挿入棒状部２をゴルフクラブ４のグリップエンド部５の空気孔６に挿入した状態で、クラブ番手情報表示部３に表示されている番手情報によりゴルフクラブ４の番手を認識することができる。これにより、間違った番手のゴルフクラブ４でアドレスを取った後においても、ゴルフプレーヤーはクラブ番手情報表示部３に表示されている番手情報を見て、ゴルフクラブ４の番手が間違っていることを認識することができる。【選択図】図２
0003213884.tif 000002
【実用新案登録請求の範囲】
【請求項１】
ゴルフクラブの番手を間違わないでゴルフボールを打つための番手別グリップエンドアクセサリであって、
最大径がゴルフクラブのグリップエンド部の空気孔と略同一の断面形状をし、ゴルフクラブのグリップエンド部の空気孔に挿入される棒状形状からなる空気孔挿入棒状部と、
該空気孔挿入棒状部の端部と結合し、ゴルフクラブのグリップエンド部の上部に配置されるクラブ番手情報表示部と、を有し、
該クラブ番手情報表示部は、ゴルフクラブの番手を識別するための番手情報が表示されていることを特徴とする番手別グリップエンドアクセサリ。
【請求項２】
前記クラブ番手情報表示部は、ゴルフクラブのグリップエンド部より小さい略同形状であることを特徴とする請求項１記載の番手別グリップエンドアクセサリ。
【請求項３】
前記クラブ番手情報表示部は、表面を曲面形状としたことを特徴とする請求項１または請求項２記載の番手別グリップエンドアクセサリ。
【考案の詳細な説明】
【技術分野】
【０００１】
本考案は、ゴルフクラブの番手を間違わないでゴルフボールを打つための番手別グリップエンドアクセサリに関する。
【背景技術】
【０００２】
従来より、ゴルフクラブの番手を間違わないようにするためのゴルフ用具が知られている。
【０００３】
この種のゴルフ用具として、ゴルフクラブ用ヘットカバーが知られている。このゴルフクラブ用ヘットカバーは、カバーの全部又は一部が外から内側を透視可能な透明又は半透明の部材で形成させ、ヘッドカバーを被せたクラブヘッドの番手表示を外部から視認することができるというものであった。  
【先行技術文献】
【特許文献】
【０００４】
【特許文献１】特開２００７-１８５５２０号公報
【考案の概要】
【考案が解決しようとする課題】
【０００５】
しかしながら、従来のゴルフクラブ用ヘットカバーは、ゴルフクラブの番手と異なる番手が表示されたヘットカバーが被せられているときに、そのゴルフクラブをキャディバックから抜くタイミングで間違いが生じないようにすることができるものであるが、ゴルフクラブをキャディバックから抜いた後、たとえば、ゴルフクラブをキャディバックから複数本抜いてゴルフボールのところまで行き、そのゴルフボールの位置で複数のゴルフクラブから１本ゴルフクラブを選択し、その選択されたゴルフクラブでアドレスを取った後においてはゴルフクラブが間違っていれば、その間違ったゴルフクラブで必然的にゴルフボールを打つことになってしまうことになる。このように、間違ったゴルフクラブでゴルフボールを打つと適正が飛距離までゴルフボールを飛ばすことができず、ゴルフのスコアーに影響が出るという問題があった。
【０００６】
本考案は上記問題点に鑑みてなされたもので、ゴルフクラブの番手を間違うことなく、ゴルフクラブの番手違いによるミスをなくすことができる番手別グリップエンドアクセサリを提供することを目的とする。
【課題を解決するための手段】
【０００７】
上記課題を解決し上記目的を達成するために、本考案のうち第１の態様に係るものは、ゴルフクラブの番手を間違わないでゴルフボールを打つための番手別グリップエンドアクセサリであって、最大径がゴルフクラブのグリップエンド部の空気孔と略同一の断面形状をし、ゴルフクラブのグリップエンド部の空気孔に挿入される棒状形状からなる空気孔挿入棒状部と、空気孔挿入棒状部の端部と結合し、ゴルフクラブのグリップエンド部の上部に配置されるクラブ番手情報表示部と、を有し、クラブ番手情報表示部は、ゴルフクラブの番手を識別するための番手情報が表示されていることを特徴とするものである。
【０００８】
本考案によれば、空気孔挿入棒状部をゴルフクラブのグリップエンド部の空気孔に挿入した状態で、クラブ番手情報表示部に表示されている番手情報によりゴルフクラブの番手を認識することができる。このことから、間違った番手のゴルフクラブでアドレスを取った後においても、ゴルフプレーヤーはクラブ番手情報表示部に表示されている番手情報を見て、ゴルフクラブの番手が間違っていることを認識することができる。これにより、ゴルフクラブの番手を間違うことなく、ゴルフクラブの番手違いによるミスをなくすことができる。
【０００９】
本考案のうち第２の態様に係るものは、第１の態様に係る番手別グリップエンドアクセサリであって、クラブ番手情報表示部は、ゴルフクラブのグリップエンド部より小さい略同形状であることを特徴とするものである。
【００１０】
本考案によれば、クラブ番手情報表示部がゴルフクラブのグリップエンド部より小さい略同形状であるので、ゴルフクラブの番手を識別するための番手情報を大きく表示することができる。これにより、ゴルフクラブの番手を識別するための番手情報が見やすくなり、ゴルフクラブの番手を間違うことなく、ゴルフクラブの番手違いによるミスをなくすことができる。
【００１１】
本考案のうち第３の態様に係るものは、第１の態様または第２の態様に係る番手別グリップエンドアクセサリであって、クラブ番手情報表示部は、表面を曲面形状としたことを特徴とするものである。
【００１２】
本考案によれば、クラブ番手情報表示部の表面を曲面形状としているので、立体感を持たせおしゃれなデザインにすることができる。
【考案の効果】
【００１３】
本考案の番手別グリップエンドアクセサリによれば、ゴルフクラブの番手を間違うことなく、ゴルフクラブの番手違いによるミスをなくすことができる。
【図面の簡単な説明】
【００１４】
【図１】（ａ）本考案の一実施形態における番手別グリップエンドアクセサリの平面図である。（ｂ）同番手別グリップエンドアクセサリの斜視図である。（ｃ）同番手別グリップエンドアクセサリの断面図である。（ｄ）同番手別グリップエンドアクセサリをゴルフクラブのグリップエンド部に取り付ける直前を示す図である。（ｅ）同番手別グリップエンドアクセサリをゴルフクラブのグリップエンド部に取り付けた状態を示す図である。（ｆ）同番手別グリップエンドアクセサリをゴルフクラブのグリップエンド部に取り付けた状態の断面図である。
【図２】（ａ）本考案の変形例１の番手別グリップエンドアクセサリの平面図である。（ｂ）同番手別グリップエンドアクセサリの斜視図である。（ｃ）同番手別グリップエンドアクセサリの断面図である。（ｄ）同番手別グリップエンドアクセサリをゴルフクラブのグリップエンド部に取り付ける直前を示す図である。（ｅ）同番手別グリップエンドアクセサリをゴルフクラブのグリップエンド部に取り付けた状態を示す図である。（ｆ）同番手別グリップエンドアクセサリをゴルフクラブのグリップエンド部に取り付けた状態の断面図である。
【図３】（ａ）本考案の変形例２の番手別グリップエンドアクセサリの平面図である。（ｂ）同番手別グリップエンドアクセサリの斜視図である。（ｃ）同番手別グリップエンドアクセサリの斜視図である。
【図４】（ａ）本考案の変形例３の番手別グリップエンドアクセサリの平面図である。（ｂ）同番手別グリップエンドアクセサリの斜視図である。（ｃ）同番手別グリップエンドアクセサリの斜視図である。
【図５】番手別グリップエンドアクセサリでゴルフクラブの番手を確認してゴルフプレーを行う様子を示す図である。
【考案を実施するための形態】
【００１５】
以下、本考案の番手別グリップエンドアクセサリの一実施形態について図面を参照にしながら説明する。ここで、図１（ａ）は本考案の一実施形態における番手別グリップエンドアクセサリの平面図であり、図１（ｂ）は同番手別グリップエンドアクセサリの斜視図であり、図１（ｃ）は同番手別グリップエンドアクセサリの断面図であり、図１（ｄ）は同番手別グリップエンドアクセサリをゴルフクラブのグリップエンド部に取り付ける直前を示す図であり、図１（ｅ）は同番手別グリップエンドアクセサリをゴルフクラブのグリップエンド部に取り付けた状態を示す図であり、図１（ｆ）は同番手別グリップエンドアクセサリをゴルフクラブのグリップエンド部に取り付けた状態の断面図である。
【００１６】
図１に示すように、番手別グリップエンドアクセサリ１は、空気孔挿入棒状部２と、クラブ番手情報表示部３から構成されている。空気孔挿入棒状部２とクラブ番手情報表示部３は、いずれもゴムを材質として形成されている。この番手別グリップエンドアクセサリ１は、ゴルフクラブ４の番手を間違わないでゴルフボールを打つために用いられる。なお、本実施形態では、空気孔挿入棒状部２およびクラブ番手情報表示部３をゴムを材質として形成させたが、これに限らず、ポリスチレン樹脂や金属など他の材料を用いて形成してもよい。
【００１７】
空気孔挿入棒状部２は、最大径がゴルフクラブ４のグリップエンド部５の空気孔６と略同一の断面形状をし、ゴルフクラブ４のグリップエンド部５の空気孔６に挿入され、棒状形状から形成されている。このように、空気孔挿入棒状部２がゴルフクラブ４のグリップエンド部５の空気孔６と略同一の断面形状をしているので、空気孔挿入棒状部２をゴルフクラブ４のグリップエンド部５の空気孔６に挿入した後においても、空気孔挿入棒状部２がゴルフクラブ４のグリップエンド部５の空気孔６から抜けることなく保持される。ここで、「空気孔挿入棒状部２がゴルフクラブ４のグリップエンド部５の空気孔６と略同一の断面形状をしている」とは、空気孔挿入棒状部２の断面形状がすべてゴルフクラブ４のグリップエンド部５の空気孔６と略同一の形状である必要はなく、たとえば先端部を尖がった形状にしてもよい。また、「空気孔挿入棒状部２がゴルフクラブ４のグリップエンド部５の空気孔６と略同一の断面形状をしている」には、「ゴルフクラブ４のグリップエンド部５の空気孔６より大きい略同一の断面形状」も含まれる。このように、空気孔挿入棒状部２の断面形状をゴルフクラブ４のグリップエンド部５の空気孔６と略同一形状で少し大きく形成することにより、空気孔挿入棒状部２がゴルフクラブ４のグリップエンド部５の空気孔６から抜けることなく強固に保持させることができる。
【００１８】
クラブ番手情報表示部３は、空気孔挿入棒状部２の端部と結合し、ゴルフクラブ４のグリップエンド部５の上部に配置されるものである。具体的には、クラブ番手情報表示部３は、高さが低い円形形状であって、表面が少し湾曲した曲面形状で、ゴルフクラブ４のグリップエンド部５の外形より小さい略同形状で形成されている。また、クラブ番手情報表示部３と空気孔挿入棒状部２とはクラブ番手情報表示部３の中央で結合されている。また、クラブ番手情報表示部３の表面には、ゴルフクラブ４の番手を識別するための番手情報として番手の数字が表示されている。この番手情報は、本実施形態のようにクラブ番手情報表示部３の表面に番手の数字を表示するようにしてもよく、またゴルフクラブ４の番手を識別することができる番手情報であれば文字や図形（図３参照）など他の表示の番手情報であってもよい。なお、本実施形態では、高さが低い円形形状としたが、これに限らず、高さが低い星形形状や三角形状や六角形状（図４参照）や番手の数字形状などにしてもよく、またアイアンとウッドと異なる形状や色にしてもよい。また、本実施形態では、クラブ番手情報表示部３の表面を少し湾曲した曲面形状で形成させたが、これに限らず、平面形状（図２参照）であってもよい。さらに、本実施形態では、ゴルフクラブ４のグリップエンド部５の外形より小さい略同形状で形成されているとしたが、これに限らず、ゴルフクラブ４のグリップエンド部５の外形より大きな形状でも小さい形状でもよい。ここで、図２（ａ）は本考案の変形例１の番手別グリップエンドアクセサリの平面図であり、図２（ｂ）は同番手別グリップエンドアクセサリの斜視図であり、図２（ｃ）は同番手別グリップエンドアクセサリの断面図であり、図２（ｄ）は同番手別グリップエンドアクセサリをゴルフクラブのグリップエンド部に取り付ける直前を示す図であり、図２（ｅ）は同番手別グリップエンドアクセサリをゴルフクラブのグリップエンド部に取り付けた状態を示す図であり、図２（ｆ）は同番手別グリップエンドアクセサリをゴルフクラブのグリップエンド部に取り付けた状態の断面図である。また、図３（ａ）は本考案の変形例２の番手別グリップエンドアクセサリの平面図であり、図３（ｂ）は同番手別グリップエンドアクセサリの斜視図であり、図３（ｃ）は同番手別グリップエンドアクセサリの斜視図である。さらに、図４（ａ）は本考案の変形例３の番手別グリップエンドアクセサリの平面図であり、図４（ｂ）は同番手別グリップエンドアクセサリの斜視図であり、図４（ｃ）は同番手別グリップエンドアクセサリの斜視図である。
【００１９】
次に、本考案の番手別グリップエンドアクセサリの使用方法について図１（ｄ）〜図１（ｆ）を参照にしながら説明する。
【００２０】
図１（ｄ）に示すように、ゴルフクラブ４の端部にはゴム製のグリップ７が装着されている。このグリップ７のグリップエンド部５には、グリップ７を装着する際に空気を逃がすための空気孔６が形成されている。ゴルフクラブ４のグリップエンド部５の空気孔６に番手別グリップエンドアクセサリ１の空気孔挿入棒状部２を挿入することにより、番手別グリップエンドアクセサリ１がゴルフクラブ４のグリップエンド部５に取り付けられる。番手別グリップエンドアクセサリ１の空気孔挿入棒状部２の断面形状をゴルフクラブ４のグリップエンド部５の空気孔６と略同一としているので、ゴルフプレー中でも番手別グリップエンドアクセサリ１がゴルフクラブ４のグリップエンド部５の空気孔６から抜け落ちることがなく、番手別グリップエンドアクセサリ１をゴルフクラブ４のグリップエンド部５の空気孔６に装着した状態を維持することができる。
【００２１】
図１（ｅ）に示すように、番手別グリップエンドアクセサリ１の空気孔挿入棒状部２がゴルフクラブ４のグリップエンド部５の空気孔６に挿入された後は、番手別グリップエンドアクセサリ１のクラブ番手情報表示部３がゴルフクラブ４のグリップエンド部５の外形より小さい略同形状で、表面が曲面形状をしているので、番手別グリップエンドアクセサリ１がゴルフクラブ４のグリップエンド部５と一体になった形状となり、ゴルフプレー中においてもゴルフクラブ４のグリップエンド部５の空気孔６に番手別グリップエンドアクセサリ１が取り付けられていることが気にならず、ゴルフのプレーを行うことができる。
【００２２】
以上説明したように、本考案の番手別グリップエンドアクセサリ１によれば、空気孔挿入棒状部２をゴルフクラブ４のグリップエンド部５の空気孔６に挿入した状態で、クラブ番手情報表示部３に表示されている番手情報によりゴルフクラブ４の番手を認識することができる（図５参照）。このように、間違った番手のゴルフクラブ４でアドレスを取った後においても、ゴルフクラブ４先端の番手を見るためにゴルフクラブ４をひっくり返さずに、ゴルフプレーヤーはクラブ番手情報表示部２に表示されている番手情報を見て、ゴルフクラブ４の番手が間違っていることを認識することができる。これにより、ゴルフプレーをスムーズに行うことができるとともに、ゴルフクラブ４の番手を間違うことなく、ゴルフクラブ４の番手違いによるミスをなくすことができる。ここで、図５は、番手別グリップエンドアクセサリでゴルフクラブの番手を確認してゴルフプレーを行う様子を示す図である。
【００２３】
今回開示された実施の形態はすべての点で例示であって制限的なものではないと考えられるべきである。本考案の範囲は上記した説明ではなくて実用新案登録請求の範囲によって示され、実用新案登録請求の範囲と均等の意味及び範囲内でのすべての変更が含まれることが意図される。
【符号の説明】
【００２４】
１      番手別グリップエンドアクセサリ
２      空気孔挿入棒状部
３      クラブ番手情報表示部
４      ゴルフクラブ
５      グリップエンド部
６      空気孔
７      グリップ
【図１】
0003213884.tif 000003
【図２】
0003213884.tif 000004
【図３】
0003213884.tif 000005
【図４】
0003213884.tif 000006
【図５】
0003213884.tif 000007